(57)【要約】【課題】本発明は、ＢＩＯＳを速く設定することができるコンピューターを提供することである。【解決手段】本発明のスタンバイ電源は、コンピューターを外部電源に接続してから、コンピューターを起動する前に、ＢＩＯＳディスプレイ、ＢＩＯＳ入力装置及びコントローラーにスタンバイ電圧を提供し、ＢＩＯＳディスプレイは、スタンバイ電圧を獲得してから、ＢＩＯＳ情報を表示し、ＢＩＯＳ入力装置は、スタンバイ電圧を獲得してから、ＢＩＯＳ設定情報を設定するために用いられるユーザーの入力を受け取り、コントローラーは、スタンバイ電圧を獲得してから、ＢＩＯＳディスプレイを駆動してＢＩＯＳ情報を表示し、且つユーザーの入力に基づいてＢＩＯＳ設定情報を設定する。【選択図】図１
2012194971.tif 000002
【特許請求の範囲】
【請求項１】
マザーボードと、ＢＩＯＳディスプレイと、ＢＩＯＳ入力装置と、コントローラーと、を備えてなるコンピューターであって、
前記マザーボードは、記憶装置及びスタンバイ電源を備え、前記記憶装置は、ＢＩＯＳ設定情報を備えるＢＩＯＳ情報を格納し、前記スタンバイ電源は、前記コンピューターを外部電源に接続してから、前記コンピューターを起動する前に、前記ＢＩＯＳディスプレイ、前記ＢＩＯＳ入力装置及び前記コントローラーにスタンバイ電圧を提供し、
前記ＢＩＯＳディスプレイは、前記スタンバイ電圧を獲得してから、前記ＢＩＯＳ情報を表示し、
前記ＢＩＯＳ入力装置は、前記スタンバイ電圧を獲得してから、前記ＢＩＯＳ設定情報を設定するために用いられるユーザーの入力を受け取り、
前記コントローラーは、前記スタンバイ電圧を獲得してから、前記ＢＩＯＳディスプレイを駆動して前記ＢＩＯＳ情報を表示し、且つユーザーの入力に基づいて前記ＢＩＯＳ設定情報を設定することを特徴とするコンピューター。
【請求項２】
ハウジングを有するホストコンピューターをさらに備え、前記マザーボード及び前記コントローラーは、前記ハウジング内に設置され、前記ハウジングは、フロントパネルを備え、前記ＢＩＯＳディスプレイ及び前記ＢＩＯＳ入力装置は、前記フロントパネルに設置されることを特徴とする請求項１に記載のコンピューター。
【請求項３】
前記マザーボードは、ＢＩＯＳチップ及びサウスブリッジチップを備え、前記サウスブリッジチップは、ＣＭＯＳ記憶ユニットを備え、前記記憶装置は、前記ＢＩＯＳチップ及び前記ＣＭＯＳ記憶ユニットを備えることを特徴とする請求項１に記載のコンピューター。
【請求項４】
前記ＢＩＯＳ入力装置は、前記ＢＩＯＳ設定情報のパラメーター及び各々のパラメーターのオプションを選択するために用いられる方向ボタンと、前記方向ボタンの選択を確認するために用いられる確認ボタンと、前記方向ボタンの選択を取り消すために用いられる取消ボタンと、を備えることを特徴とする請求項１に記載のコンピューター。
【発明の詳細な説明】
【技術分野】
【０００１】
本発明は、コンピューターに関するものである。
【背景技術】
【０００２】
現在、コンピューターの多機能化が進んで、応用プログラムは多くなり、コンピューターを起動する時間もだんだん長くなり、ＢＩＯＳ（Ｂａｓｉｃ  Ｉｎｐｕｔ  Ｏｕｔｐｕｔ  Ｓｙｓｔｅｍ）の設定時間も長くなる。具体的に説明すると、コンピューターの電源がオンすると、コンピューターを起動することを必要として、ＢＩＯＳ設定画面に入って、ＢＩＯＳを設定してから、コンピューターを起動する。コンピューターが再起動されると、再度、ＢＩＯＳ設定画面に入って、ＢＩＯＳを設定してから、コンピューターを再再起動する。
【発明の概要】
【発明が解決しようとする課題】
【０００３】
本発明の目的は、前記課題を解決し、ＢＩＯＳを速く設定することができるコンピューターを提供することである。
【課題を解決するための手段】
【０００４】
本発明に係るコンピューターは、マザーボードと、ＢＩＯＳディスプレイと、ＢＩＯＳ入力装置と、コントローラーと、を備え、前記マザーボードは、記憶装置及びスタンバイ電源を備え、前記記憶装置は、ＢＩＯＳ設定情報を備えるＢＩＯＳ情報を格納し、前記スタンバイ電源は、前記コンピューターを外部電源に接続してから、前記コンピューターをスタートする前に、前記ＢＩＯＳディスプレイ、前記ＢＩＯＳ入力装置及び前記コントローラーにスタンバイ電圧を提供し、前記ＢＩＯＳディスプレイは、前記スタンバイ電圧を獲得してから、前記ＢＩＯＳ情報を表示し、前記ＢＩＯＳ入力装置は、前記スタンバイ電圧を獲得してから、前記ＢＩＯＳ設定情報を設定するために用いられるユーザーの入力を受け取り、前記コントローラーは、前記スタンバイ電圧を獲得してから、前記ＢＩＯＳディスプレイを駆動して前記ＢＩＯＳ情報を表示し、且つユーザーの入力に基づいて前記ＢＩＯＳ設定情報を設定する。
【発明の効果】
【０００５】
本発明は、コンピューターを外部電源に接続してから、前記コンピューターが起動されなくても、ＢＩＯＳ設定情報を設定してから前記コンピューターを起動することができ、従来のように、前記コンピューターを起動して前記ＢＩＯＳ情報を読み取り、且つ前記ＢＩＯＳ設定情報を設定してから前記コンピューターを再び起動することを必要としない。前記コンピューターが起動されたとしても、前記コンピューターをシャットダウンして、前記ＢＩＯＳ設定情報を設定してから前記コンピューターを起動することができ、前記コンピューターを再び起動して前記ＢＩＯＳ情報を読み取り、且つ前記ＢＩＯＳ設定情報を設定してから前記コンピューターを再び起動することを必要としない。
【図面の簡単な説明】
【０００６】
【図１】本発明の実施形態に係るコンピューターのブロック図である。
【図２】図１に示すコンピューターを示す図である。
【発明を実施するための形態】
【０００７】
以下、図面を参照して、本発明の実施形態について説明する。  
【０００８】
図１を参照すると、本発明の実施形態に係るコンピューター１０は、マザーボード１００と、ＢＩＯＳディスプレイ２００と、ＢＩＯＳ入力装置３００と、コントローラー４００と、を備える。前記マザーボード１００は、記憶装置１０２及びスタンバイ電源１０４を備える。前記記憶装置１０２は、前記コンピューター１０のＢＩＯＳ情報を格納し、前記ＢＩＯＳ情報は、ＢＩＯＳ設定情報を備える。前記スタンバイ電源１０４は、前記コンピューター１０を外部電源（図示せず）に接続してから、前記コンピューター１０を起動する前に、前記ＢＩＯＳディスプレイ２００、前記ＢＩＯＳ入力装置３００及び前記コントローラー４００にスタンバイ電圧ＶＳＴＢを提供する。前記ＢＩＯＳディスプレイ２００は、前記スタンバイ電圧ＶＳＴＢを獲得してから、前記ＢＩＯＳ情報を表示する。前記ＢＩＯＳ入力装置３００は、前記スタンバイ電圧ＶＳＴＢを獲得してから、前記ＢＩＯＳ設定情報を設定するために用いられるユーザーの入力を受け取る。前記コントローラー４００は、前記スタンバイ電圧ＶＳＴＢを獲得してから、前記ＢＩＯＳディスプレイ２００を駆動して前記ＢＩＯＳ情報を表示し、且つユーザーの入力に基づいて前記ＢＩＯＳ設定情報を設定する。
【０００９】
前記コンピューター１０を外部電源に接続してから、前記コンピューター１０が起動されなくても、前記ＢＩＯＳ設定情報を設定してから前記コンピューター１０を起動することができ、先ず前記コンピューター１０を起動してから前記ＢＩＯＳ情報を読み取り、且つ前記ＢＩＯＳ設定情報を設定してから前記コンピューター１０を再び起動することを必要としない。前記コンピューター１０が起動されたとしても、前記コンピューター１０をシャットダウンして、前記ＢＩＯＳ設定情報を設定してから前記コンピューター１０を起動することができ、前記コンピューター１０を再び起動してから前記ＢＩＯＳ情報を読み取り、且つ前記ＢＩＯＳ設定情報を設定してから前記コンピューター１０を再び起動することを必要としない。
【００１０】
図２を参照すると、本実施形態において、前記コンピューター１０は、デスクトップコンピューターシステムであり、ホストコンピューター５００と、表示装置６００と、キーボード７００と、を備える。前記ホストコンピューター５００は、ハウジング５０２を備える。前記ハウジング５０２は、フロントパネル５０４を備える。前記マザーボード１００及び前記コントローラー４００は、前記ハウジング５０２内に設置される。前記ＢＩＯＳディスプレイ２００及び前記ＢＩＯＳ入力装置３００は、前記フロントパネル５０４に設置される。前記ホストコンピューター５００は、情報を受信し、格納し、処理し、発送するために用いられる。前記表示装置６００は、前記ホストコンピューター５００からの情報を表示するために用いられる。前記キーボード７００は、前記ホストコンピューター５００に情報を入力するために用いられる。
【００１１】
前記コンピューター１０は、本実施形態に限定されるものではなく、ノートパソコン又はサーバーであることができる。前記マザーボード１００、前記ＢＩＯＳディスプレイ２００、前記ＢＩＯＳ入力装置３００及び前記コントローラー４００は、具体的な需要によって設置することができる。
【００１２】
前記マザーボード１００は、ＢＩＯＳチップ１０６及びサウスブリッジチップ１０８を備える。ＢＩＯＳプログラムコードは前記ＢＩＯＳチップ１０６に格納される。前記サウスブリッジチップ１０８は、ＣＭＯＳ（相補性金属酸化膜半導体）記憶ユニット１１０を備える。前記ＣＭＯＳ記憶ユニット１１０は、前記ＢＩＯＳ設定情報を格納し、即ち前記ＢＩＯＳプログラムコードを運行する時に必要とするパラメーターである。前記ＢＩＯＳ情報は、前記ＢＩＯＳプログラムコード及び前記ＢＩＯＳ設定情報を備える。前記記憶装置１０２は、前記ＢＩＯＳチップ１０６及び前記ＣＭＯＳ記憶ユニット１１０を備える。前記マザーボード１００は、中央処理装置（ＣＰＵ）１１２及びノースブリッジチップ１１４をさらに備える。前記コンピューター１０を起動する際、前記中央処理装置１１２は、前記ノースブリッジチップ１１４及び前記サウスブリッジチップ１０８によって、前記ＢＩＯＳチップ１０６に格納されたＢＩＯＳプログラムコード及び前記ＣＭＯＳ記憶ユニット１１０に格納された前記ＢＩＯＳ設定情報を読み取って実行することにより、起動を完成する。
【００１３】
前記ホストコンピューター５００は、電源管理器（図示せず）をさらに備える。前記電源管理器は、外部電源に接続されて、前記マザーボード１００に電源を提供する。前記ホストコンピューター５００を外部電源に接続すると、前記マザーボード１００は外部電源を前記スタンバイ電圧（例えば、直流５Ｖである）に変換してから、前記スタンドバイ電源１０４によって出力する。
【００１４】
前記ＢＩＯＳディスプレイ２００は、液晶表示パネルであることができる。前記ＢＩＯＳ入力装置３００は、方向ボタン３０２、確認ボタン３０４及び取消ボタン３０６のような複数のボタンを備える。前記方向ボタン３０２は、前記ＢＩＯＳ設定情報のいろいろなパラメーター及び各々のパラメーターのいろいろなオプションを選択するために用いられる。前記確認ボタン３０４は、前記方向ボタン３０２の選択を確認するために用いられる。前記取消ボタン３０６は、前記方向ボタン３０２の選択を取り消すために用いられる。前記ＢＩＯＳディスプレイ２００及び前記ＢＩＯＳ入力装置３００は、タッチパネル（図示せず）を集成することができる。
【００１５】
前記コントローラー４００は、シングルチップを採用することができ、コンパイルして前記スタンバイ電圧ＶＳＴＢを獲得してから、前記ＢＩＯＳチップ１０６からＢＩＯＳ情報を読み取り、前記ＢＩＯＳディスプレイ２００を駆動して前記ＢＩＯＳ情報を表示し、前記ＢＩＯＳ入力装置３００からユーザーの入力を受け取って、ユーザーの入力に基づいて、前記ＢＩＯＳ設定情報を設定する。
【００１６】
以上、本発明を実施例に基づいて具体的に説明したが、本発明は、上述の実施例に限定されるものではなく、その要旨を逸脱しない範囲において、種種の変更が可能であることは勿論であって、本発明の技術的範囲は、添付の特許請求の範囲によって決まる。
【符号の説明】
【００１７】
１０  コンピューター
１００  マザーボード
１０２  記憶装置
１０４  スタンバイ電源
１０６  ＢＩＯＳチップ
１０８  サウスブリッジチップ
１１０  ＣＭＯＳ記憶ユニット
１１２  中央処理装置
１１４  ノースブリッジチップ
２００  ＢＩＯＳディスプレイ
３００  ＢＩＯＳ入力装置
３０２  方向ボタン
３０４  確認ボタン
３０６  取消ボタン
４００  コントローラー
５００  ホストコンピューター
５０２  ハウジング
５０４  フロントパネル
６００  表示装置
７００  キーボード
【図１】
2012194971.tif 000003
【図２】
2012194971.tif 000004